(57)【要約】【課題】コンパクトにすることが可能な弦楽器を提供すること。【解決手段】ネック１３は、前後方向において、第１ボディ部２１に取り付けられる第１ネック部４１と、当該第１ネック部４１に取り付けられる第２ネック部４３とに分解可能となっている。また、第１ネック部４１、第２ネック部４３、及び第１ボディ部２１の各々には、ロッドを挿通するための第１〜第３筒部材６１，６５，６７が設けられている。これにより、ギター１０は、組み立てた状態において第１筒部材６１等からロッドを引き抜き、第１ネック部４１と第２ネック部４３とを分解し、コンパクト化を図ることが可能となっている。【選択図】図３
2017072652.tif 000002
【特許請求の範囲】
【請求項１】
ボディと、
前記ボディから一方向に延設され、前記ボディに第１端部を保持された弦の第２端部を保持し、前記弦が張設されるネックと、
前記ネック内に設けられ前記ネックの延設方向に向かって配設されるロッドと、を備え、
前記ネックは、前記ボディに保持される第１ネック部と、前記延設方向において前記第１ネック部を間に挟んで前記ボディとは反対側に設けられ前記弦の前記第２端部を保持し前記第１ネック部に対して着脱可能に構成される第２ネック部と、を有し、
前記第１ネック部、前記第２ネック部、及び前記ボディの各々は、前記延設方向に向かって前記ロッドを挿通する挿通孔が形成されることを特徴とする弦楽器。
【請求項２】
前記ロッドは、前記延設方向に向かって延設される第１ロッド部と、前記延設方向における前記第１ロッド部の一端部に設けられ前記延設方向に直交する方向に向かって前記第１ロッド部に挿通される回転軸と、前記延設方向に向かって延設され前記第１ロッド部の一端部において前記回転軸に回動可能に保持される第２ロッド部と、を有することを特徴とする請求項１に記載の弦楽器。
【請求項３】
前記回転軸は、前記第１ロッド部及び前記第２ロッド部を前記挿通孔に挿通した状態において、前記第１ネック部と前記第２ネック部との連結部分から前記延設方向の一方に向かってずれた位置に配置されることを特徴とする請求項２に記載の弦楽器。
【請求項４】
前記ボディは、第１被螺合部を有し、
前記ロッドは、前記ボディ側の端部に設けられ、前記ボディの前記挿通孔に挿通された状態で、前記第１被螺合部に螺合される第１螺合部を有することを特徴とする請求項１乃至請求項３の何れかに記載の弦楽器。
【請求項５】
前記ロッドは、金属材料からなり、
前記第１ネック部、前記第２ネック部、及び前記ボディのうち、少なくとも１つは、前記挿通孔内に固定され前記ロッドを挿通する金属製の筒部材を有することを特徴とする請求項１乃至請求項４の何れかに記載の弦楽器。
【請求項６】
前記延設方向において、前記第２ネック部における前記第１ネック部に保持される端部とは反対側の端部に設けられるネック固定機構を備え、
前記ロッドは、前記第２ネック部側の端部に第２螺合部を有し、
前記ネック固定機構は、前記延設方向と直交する方向に向かって延設される柱状をなし前記第２螺合部が螺合され軸方向の端面の各々から外側に向かって突出するハンドル回転軸を有する軸部と、前記ハンドル回転軸に対して回動可能に保持され前記ハンドル回転軸に対して偏心して前記第２ネック部を前記第１ネック部側に押圧するハンドル部と、を有することを特徴とする請求項１乃至請求項５の何れかに記載の弦楽器。
【請求項７】
前記延設方向において、前記第２ネック部における前記第１ネック部に保持される端部とは反対側の端部に設けられるネック固定機構を備え、
前記ネック固定機構は、前記延設方向と直交する方向に向かって延設される柱状をなし前記ロッドの前記第２ネック部側の端部に固定され軸方向の端面の各々から外側に向かって突出するハンドル回転軸を有する軸部と、前記ハンドル回転軸に対して回動可能に保持され前記ハンドル回転軸に対して偏心して前記第２ネック部を前記第１ネック部側に押圧するハンドル部と、を有することを特徴とする請求項１乃至請求項５の何れかに記載の弦楽器。
【請求項８】
ボディと、
前記ボディから一方向に延設され、前記ボディに第１端部を保持された弦の第２端部を保持し、前記弦が張設されるネックと、を備え、
前記ネックは、前記ボディに保持される第１ネック部と、前記ネックの延設方向において前記第１ネック部を間に挟んで前記ボディとは反対側に設けられ前記弦の前記第２端部を保持し前記第１ネック部に対して着脱可能に構成される第２ネック部と、を有し、
前記第１ネック部及び前記第２ネック部の一方は、前記第１ネック部及び前記第２ネック部の他方側に向かって突出する第１突出部を有し、
前記第１ネック部及び前記第２ネック部の他方は、前記第１突出部が嵌合される第１凹部を有することを特徴とする弦楽器。
【請求項９】
前記ボディ及び前記第１ネック部の一方は、前記ボディ及び前記第１ネック部の他方側に向かって突出する第２突出部を有し、
前記ボディ及び前記第１ネック部の他方は、前記第２突出部が嵌合される第２凹部を有することを特徴とする請求項１乃至請求項８の何れかに記載の弦楽器。
【請求項１０】
前記ボディは、前記第１ネック部を保持する第１ボディ部と、前記延設方向において前記第１ボディ部を間に挟んで前記第１ネック部とは反対側に設けられる第２ボディ部と、前記第２ボディ部に設けられ前記弦の前記第１端部を係止するブリッジと、前記第１ボディ部と前記第２ボディ部とを互いに連結し且つ前記弦を張設させた状態を起点として前記ブリッジを前記第１ボディ部に近接させる方向に向かって前記第２ボディ部を前記第１ボディ部に対して回動可能に保持する回動部材と、を有することを特徴とする請求項１乃至請求項９の何れかに記載の弦楽器。
【請求項１１】
前記第２ネック部は、前記延設方向において前記第１ネック部に保持される端部とは反対側の端部に、前記弦の前記第２端部を係止するネック側係止部を有し、
前記ブリッジは、本体部と、前記弦の前記第１端部を係止し前記本体部に対して螺合される位置に応じて前記弦の張力を調整する張力調整ネジと、を有することを特徴とする請求項１０に記載の弦楽器。
【発明の詳細な説明】
【技術分野】
【０００１】
本発明は、ネックとボディとを有する弦楽器に係り、特に、弦楽器をコンパクトにまとめるための技術に関するものである。
【背景技術】
【０００２】
従来、可搬性や収納性を高めるために、折り曲げ可能なギターが開発されている。例えば、ボディに対してネックを折り曲げ可能としたギターがある（例えば、特許文献１など）。特許文献１に開示されるギターは、ネックとボディとをヒンジで連結しており、ネックをボディの表側に折り畳むことが可能となっている。また、特許文献２に開示されるギターは、ネックの裏側にヒンジを設けて、ネック及び指板を延設方向の途中で裏側に折り畳むことが可能となっている。
【先行技術文献】
【特許文献】
【０００３】
【特許文献１】特許第５６３５６０６号公報
【特許文献２】実用新案登録第３１７４６３８号公報（段落００２３、図５など）
【発明の概要】
【発明が解決しようとする課題】
【０００４】
上記特許文献１に開示されるギターでは、折り畳んだ後のネックがボディ側へと延設され、ボディの後方へとネックを突出させる虞がある。また、特許文献２に開示されるギターでは、１つのネックの先端に設けた受部材に追加ネックを嵌合させることで、ネック全体を延長している。この受部材は、ネックの下面から下方へと突出しており、ネックの上下方向の幅（厚み）を大きくする虞がある。このため、いずれのギターの構造も小型化に対する改善の余地があった。
【０００５】
本願は、上記の課題に鑑み提案されたものであって、コンパクトにすることが可能な弦楽器を提供することを目的とする。
【課題を解決するための手段】
【０００６】
本願に係る弦楽器は、ボディと、ボディから一方向に延設され、ボディに第１端部を保持された弦の第２端部を保持し、弦が張設されるネックと、ネック内に設けられネックの延設方向に向かって配設されるロッドと、を備え、ネックは、ボディに保持される第１ネック部と、延設方向において第１ネック部を間に挟んでボディとは反対側に設けられ弦の第２端部を保持し第１ネック部に対して着脱可能に構成される第２ネック部と、を有し、第１ネック部、第２ネック部、及びボディの各々は、延設方向に向かってロッドを挿通する挿通孔が形成されることを特徴とする。
【０００７】
当該弦楽器のネックは、延設方向において、ボディに保持される第１ネック部と、当該第１ネック部に取り付けられる第２ネック部とに分解可能となっている。また、ネック内には、延設方向に向かってロッドが配設される。第１ネック部、第２ネック部、及びボディの３つの部材の各々には、このロッドを挿通するための挿通孔が形成される。これにより、３つの部材の挿通孔にロッドを挿通することで、３つの部材を互いに連結した弦楽器を組み立てることが可能となる。また、当該弦楽器では、組み立てた状態の挿通孔からロッドを引き抜き、第１ネック部と第２ネック部とを分解することが可能となる。従って、ロッドを引き抜き、ネックを複数の部材に分解することで、弦楽器全体のコンパクト化を図ることが可能となる。
【０００８】
また、本願に係る弦楽器において、ロッドは、延設方向に向かって延設される第１ロッド部と、延設方向における第１ロッド部の一端部に設けられ延設方向に直交する方向に向かって第１ロッド部に挿通される回転軸と、延設方向に向かって延設され第１ロッド部の一端部において回転軸に回動可能に保持される第２ロッド部と、を有する構成でもよい。
【０００９】
当該弦楽器のロッドは、延設方向において並設される第１ロッド部と、第２ロッド部とを有する。第２ロッド部は、第１ロッド部の回転軸を中心に回動可能となっている。これにより、ネック及びボディから抜き取ったロッドを折り畳んでコンパクトにすることが可能となる。
【００１０】
また、本願に係る弦楽器において、回転軸は、第１ロッド部及び第２ロッド部を挿通孔に挿通した状態において、第１ネック部と第２ネック部との連結部分から延設方向の一方に向かってずれた位置に配置される構成でもよい。
【００１１】
第１ネック部と第２ネック部との連結部分は、ネックを２つに分割した境界部分となる。このため、連結部分の剛性は、ネックの他の部分に比べて低下する虞がある。同様に、第１ロッド部と第２ロッド部との連結部分の剛性は、回転軸によって回動可能となっているため、ロッドの他の部分に比べて低下する虞がある。そこで、当該弦楽器では、ネックとロッドとの各々の連結部分の位置を互いにずらすことによって、ロッドによってネックの剛性を好適に高めることが可能となる。
【００１２】
また、本願に係る弦楽器において、ボディは、第１被螺合部を有し、ロッドは、ボディ側の端部に設けられ、ボディの挿通孔に挿通された状態で、第１被螺合部に螺合される第１螺合部を有する構成でもよい。
【００１３】
当該弦楽器では、ロッドを、挿通孔に挿通し、第１螺合部をボディの第１被螺合部に螺合させることで、ボディに対して取り付けることができる。これにより、ボディに対してロッドをより強固に固定することができる。
【００１４】
また、本願に係る弦楽器において、ロッドは、金属材料からなり、第１ネック部、第２ネック部、及びボディのうち、少なくとも１つは、挿通孔内に固定されロッドを挿通する金属製の筒部材を有する構成でもよい。
【００１５】
当該弦楽器では、ロッドとして金属製の部材を用いることで、ネックの剛性を高めることができる。ここで、例えば、ネックとして木材を用いた場合、ネックは、挿通孔内に金属製のロッドを抜き差しされることで、ロッドと接触し損傷等する虞がある。そこで、当該弦楽器では、挿通孔内に金属製の筒部材を設けることで、ロッドとの接触からネックを保護することが可能となる。
【００１６】
また、本願に係る弦楽器において、延設方向において、第２ネック部における第１ネック部に保持される端部とは反対側の端部に設けられるネック固定機構を備え、ロッドは、第２ネック部側の端部に第２螺合部を有し、ネック固定機構は、延設方向と直交する方向に向かって延設される柱状をなし第２螺合部が螺合され軸方向の端面の各々から外側に向かって突出するハンドル回転軸を有する軸部と、ハンドル回転軸に対して回動可能に保持されハンドル回転軸に対して偏心して第２ネック部を第１ネック部側に押圧するハンドル部と、を有する構成でもよい。
【００１７】
当該弦楽器では、ネック固定機構の軸部を、ネックに挿通したロッドの第２螺合部に螺合させる。ネック固定機構のハンドル部と、第２ネック部との延設方向における距離は、螺合する位置に応じて変更させる。例えば、ハンドル部と第２ネック部とが当接する位置まで、軸部を、第２螺合部に対して螺合させる。この状態でハンドル部をハンドル回転軸に対して回動させると、偏心するハンドル部によって第２ネック部を第１ネック部側へ押圧することができる。これにより、弦楽器のユーザは、ハンドル部を回動させることで、ロッドとネックとの相対的な位置ずれ抑制することが可能となる。
【００１８】
また、本願に係る弦楽器において、延設方向において、第２ネック部における第１ネック部に保持される端部とは反対側の端部に設けられるネック固定機構を備え、ネック固定機構は、延設方向と直交する方向に向かって延設される柱状をなしロッドの第２ネック部側の端部に固定され軸方向の端面の各々から外側に向かって突出するハンドル回転軸を有する軸部と、ハンドル回転軸に対して回動可能に保持されハンドル回転軸に対して偏心して第２ネック部を第１ネック部側に押圧するハンドル部と、を有する構成でもよい。
【００１９】
当該弦楽器では、ハンドル部をハンドル回転軸に対して回動させると、偏心するハンドル部によって第２ネック部を第１ネック部側へ押圧することができる。これにより、弦楽器のユーザは、ハンドル部を回動させることで、ロッドとネックとの相対的な位置ずれ抑制することが可能となる。さらに、ネック固定機構の軸部を、ネックに挿通したロッドの第２ネック部側の端部に固定する。これにより、ユーザは、例えば、ハンドル部を操作することで、ロッドのネックに対する抜き差しやロッドの回転を行うことが可能となる。特に、ボディに第１被螺合部を、ロッドのボディ側の端部に第１螺合部を設けた構成を適用すれば、ユーザは、ハンドル部を回転させ第１螺合部を第１被螺合部から取り外し、且つハンドル部を引っ張ってロッドをネックから抜くことで、ロッドの取り外し作業を容易に行うことが可能となる。
【００２０】
本願に係る弦楽器は、ボディと、ボディから一方向に延設され、ボディに第１端部を保持された弦の第２端部を保持し、弦が張設されるネックと、を備え、ネックは、ボディに保持される第１ネック部と、ネックの延設方向において第１ネック部を間に挟んでボディとは反対側に設けられ弦の第２端部を保持し第１ネック部に対して着脱可能に構成される第２ネック部と、を有し、第１ネック部及び第２ネック部の一方は、第１ネック部及び第２ネック部の他方側に向かって突出する第１突出部を有し、第１ネック部及び第２ネック部の他方は、第１突出部が嵌合される第１凹部を有することを特徴とする。
【００２１】
当該弦楽器のネックは、延設方向において、ボディに保持される第１ネック部と、当該第１ネック部に取り付けられる第２ネック部とに分解可能となっている。また、第１ネック部及び第２ネック部の一方は、他方側へ突出する第１突出部を有する。また、第１ネック部及び第２ネック部の他方は、この第１突出部を嵌合させる第１凹部を有する。当該弦楽器では、第１突出部を第１凹部に嵌合させることで、第１ネック部と第２ネック部とを連結し組み立てることが可能となる。また、当該弦楽器では、第１突出部をネックの延設方向へと突出させることで、ネックの厚みを押さえることが可能となる。さらに、当該弦楽器では、組み立てた状態の第１凹部から第１突出部を引き抜き、第１ネック部と第２ネック部とを分解することが可能となる。従って、ネックを複数の部材に分解することで、弦楽器全体のコンパクト化を図ることが可能となる。
【００２２】
また、本願に係る弦楽器において、ボディ及び第１ネック部の一方は、ボディ及び第１ネック部の他方側に向かって突出する第２突出部を有し、ボディ及び第１ネック部の他方は、第２突出部が嵌合される第２凹部を有する構成でもよい。
【００２３】
このような構成では、ユーザは、第２突出部を第２凹部に嵌合させることで、ボディと第１ネック部とを容易に連結することが可能となる。
【００２４】
また、本願に係る弦楽器において、ボディは、第１ネック部を保持する第１ボディ部と、延設方向において第１ボディ部を間に挟んで第１ネック部とは反対側に設けられる第２ボディ部と、第２ボディ部に設けられ弦の第１端部を係止するブリッジと、第１ボディ部と第２ボディ部とを互いに連結し且つ弦を張設させた状態を起点としてブリッジを第１ボディ部に近接させる方向に向かって第２ボディ部を第１ボディ部に対して回動可能に保持する回動部材と、を有する構成でもよい。
【００２５】
ここで、弦を張設した状態では、ネックは、弦の張力を付与されるため、第１ネック部と第２ネック部とに分解することが困難になる虞がある。そこで、当該弦楽器では、ボディは、第１ボディ部と第２ボディ部とに分割される。また、回動部材によって、第２ボディ部を、第１ボディ部側へと回動可能とし、且つ、ブリッジを第１ボディ部側へと近づけることで、弦を緩めることが可能となる。これにより、弦を緩めた状態でネックを分解できるため、分解作業を容易に行うことが可能となる。
【００２６】
また、本願に係る弦楽器において、第２ネック部は、延設方向において第１ネック部に保持される端部とは反対側の端部に、弦の第２端部を係止するネック側係止部を有し、ブリッジは、本体部と、弦の第１端部を係止し本体部に対して螺合される位置に応じて弦の張力を調整する張力調整ネジと、を有する構成でもよい。
【００２７】
当該弦楽器では、第２ネック部に弦を巻き付ける糸巻き機構を有しておらず、ボディに設けられたブリッジの張力調整ネジを本体部に螺合する位置によって弦の張力を調整可能となっている。このような糸巻き機構を有しないネックでは、ネックを分解した後の体積をより小さくし、さらなるコンパクト化を図ることが可能となる。
【発明の効果】
【００２８】
本願に係る弦楽器によれば、楽器全体のコンパクト化が可能となる。
【図面の簡単な説明】
【００２９】
【図１】実施形態に係るギターの上面図である。
【図２】ギターの側面図である。
【図３】ボディの側面図であり、第１ボディ部に対して第２ボディ部が回動する状態を示す図である。
【図４】第１ボディ部、第１ネック部、第２ネック部の分解斜視図である。
【図５】ロッドの側面図である。
【図６】ネック固定機構を取り付けた第２ネック部の斜視図である。
【発明を実施するための形態】
【００３０】
以下、本願の弦楽器を具体化した一実施形態として、図１に示すギター１０について説明する。本実施形態のギター１０は、分解又は組み立て可能な構造を有している。図１は、ギター１０の上面図であり、ギター１０を組み立てた状態を示している。図２は、組み立てた状態のギター１０の側面図である。ギター１０は、いわゆるエレクトリック・ギターであり、ボディ１１と、当該ボディ１１に連結されたネック１３とを備えている。
【００３１】
ネック１３は、一方向に延設され、その一端部をボディ１１に固定されている。以下の説明では、図１及び図２に示すように、ネック１３の先端側を前方、ボディ１１側を後方、この前後方向に直交しネック１３やボディ１１の表面に略平行な方向を左右方向、前後方向及び左右方向に直交する方向（図１の紙面直交方向）を上下方向と称して説明する。この場合、ネック１３の延設方向は、前後方向と平行な方向となる。
【００３２】
（ボディ１１の構成）
まず、ボディ１１の構成について説明する。ボディ１１は、第１ボディ部２１と、第２ボディ部２２と、ブリッジ２３と、ピックアップ２５とを有している。ボディ１１は、前後方向に沿って並設された第１ボディ部２１及び第２ボディ部２２の２つの部分に分割されている。第１ボディ部２１及び第２ボディ部２２の材料としては、例えば、メイプル、アルダー、マホガニー等の木材を用いることができる。
【００３３】
ネック１３の先端に設けられた弦係止部７１とボディ１１のブリッジ２３との間には、６本の弦１５が張設されている。ブリッジ２３は、ブリッジ本体部３１と、張力調整ネジ３３と、サドル３５と、高さ調整ネジ３７とを有している。ブリッジ本体部３１は、第２ボディ部２２の表面に沿って取り付けられており、上下方向に薄い略箱型の形状をなしている。
【００３４】
張力調整ネジ３３は、弦１５の各々に対応して６個設けられており、ブリッジ本体部３１の後方側から前方に向かって螺合されている。張力調整ネジ３３は、弦１５の第１端部１５Ａに設けられたポールエンド（図視略）を係止している。ギター１０のユーザは、例えば、張力調整ネジ３３を締め付ける方向に回すことによって、ポールエンドを前方側（ネック１３側）へと移動させ弦１５を緩めることができる。逆に、ユーザは、張力調整ネジ３３を緩める方向に回すことによって、ポールエンドを後方側へと移動させ弦１５に付与される張力を高めることができる。
【００３５】
また、サドル３５は、弦１５の各々に対応して６個設けられており、各弦１５を下方から支持して、ネック１３の指板５１に対する弦高を保持している。サドル３５には、２つの高さ調整ネジ３７が上下方向に向かって螺合されている。高さ調整ネジ３７は、例えば、六角ネジである。ユーザは、例えば、高さ調整ネジ３７の各々を締め付けることによって、サドル３５の高さ、即ち、弦１５の各々の高さを低くすることができる。また、ユーザは、高さ調整ネジ３７の各々を緩めることによって、弦１５の各々の高さを高くすることができる。従って、ユーザは、張力調整ネジ３３及び高さ調整ネジ３７を調整することによって、６本の弦１５の各々を調律・調整することができる。
【００３６】
ピックアップ２５は、第１ボディ部２１の上面部分に取り付けられている。ピックアップ２５は、各弦１５の直下に位置する棒状の磁石２５Ａや磁石２５Ａを保持するボビン２５Ｂ等を有しており、各弦１５の振動を電磁誘導として検出し、電気信号に変換して出力する。
【００３７】
第１ボディ部２１と第２ボディ部２２とは、回動部材２７を介して互いに連結されている。回動部材２７は、例えば、蝶番であり、第１ボディ部２１に対して第２ボディ部２２を上下方向に向かって回動可能に保持している。図１及び図２に示す組み立てた状態のボディ１１は、第１ボディ部２１の後方側の後端面部２１Ａと、第２ボディ部２２の前方側の前端面部２２Ａとを前後方向において当接又は近接させて配置した状態となっている。回動部材２７は、第１ボディ部２１と第２ボディ部２２との境界部分において、上面及び下面に表出しない位置であって上面側の内部に取り付けられ、組み立てた状態では外部から目視できない位置に設けられている。
【００３８】
図３は、ボディ１１の側面図であり、第１ボディ部２１に対して第２ボディ部２２を回動させた状態を示している。回動部材２７は、後端面部２１Ａに取り付けられた第１軸受け部２７Ａと、前端面部２２Ａに取り付けられた第２軸受け部２７Ｂと、第１軸受け部２７Ａ及び第２軸受け部２７Ｂを互いに連結する回動軸２７Ｃとを有している。回動部材２７は、回動軸２７Ｃの位置を変更しながら回動して、第１軸受け部２７Ａに対して第２軸受け部２７Ｂを回動可能となっている。回動部材２７は、図示しないロック機構によって、所定の角度ごとに角度を変更可能となっている。回動部材２７の回動にともなって、第２ボディ部２２は、ブリッジ２３を第１ボディ部２１のピックアップ２５へ近接させる方向（図３の矢印２９の方向）へと第１ボディ部２１に対して回動する。これにより、ユーザは、第２ボディ部２２を回動させることで、弦係止部７１とブリッジ２３との間に張設された弦１５を緩めることができ、後述するネック１３の分解を容易に実施することが可能となる。
【００３９】
また、ボディ１１は、図示しないピックアップ・スイッチや音響ケーブルを接続するための接続コネクタなどを有する。本実施形態のギター１０は、ピックアップ２５で検出した電気信号を、信号処理をせずに直接外部に出力する構成とすることで、内部構造の簡略化を図っている。具体的には、ボディ１１は、ピックアップ２５の電気信号を減衰させる音量調整回路や、電気信号を処理する処理回路等を備えていない。これにともないボディ１１は、ボリューム・コントロール、トーン・コントロール等のスイッチも設けられていない。これにより、ギター１０は、軽量化を図れるとともに、ボディ１１内に配設される信号ケーブル等を少なくして、折り曲げ動作にともなう断線等の不具合を軽減することが可能となる。なお、ボディ１１は、音量や音色を変更するための処理回路等を備えてもよい。この場合、ボディ１１は、例えば、処理回路等を第１ボディ部２１内に内蔵し、第１ボディ部２１と第２ボディ部２２間を接続する信号ケーブルを少なくする構造としてもよい。
【００４０】
（ネック１３の構成）
次に、ネック１３の構成について説明する。ネック１３は、第１ネック部４１と、第２ネック部４３と、ロッド４５と、ネック固定機構４７とを有している。ネック１３は、前後方向に沿って並設された第１ネック部４１及び第２ネック部４３の２つの部分に分割されている。ギター１０は、後方から前方に向かって順に、第２ボディ部２２、第１ボディ部２１、第１ネック部４１、第２ネック部４３の順に組み付けられている。第１ネック部４１及び第２ネック部４３の材料としては、例えば、メイプル材等の木材を用いることができる。
【００４１】
ネック１３の上面には、複数のフレット４９（本実施形態では２３本のフレット）を有する指板５１が取り付けられている。指板５１の材料としては、例えば、黒檀等の木材を用いることができる。指板５１は、２つに分割された第１ネック部４１及び第２ネック部４３の大きさに合わせて分割された第１ネック部４１上の第１指板５１Ａと、第２ネック部４３上の第２指板５１Ｂとで構成されている。
【００４２】
図４は、ボディ１１からネック１３を取り外し、さらに、ネック１３を分解した状態の斜視図で有り、各部材を模式的に示している。なお、図４においては、図面が煩雑となるのを避けるため、ネック固定機構４７、指板５１、ピックアップ２５等の図示を省略している。
【００４３】
図２及び図４に示すように、ネック１３を上下方向及び左右方向に沿った平面で切断した断面形状は、下方に向かって円弧状に突出した半円形状をなしている。ネック１３の後方端部、即ち、第１ネック部４１の後方端部であるヒール４１Ａは、第１ボディ部２１の前端部２１Ｂに取り付けられる。ヒール４１Ａは、左右方向から見た場合に、半円形状をなすネック１３の本体部分から、後方に向かうに従って徐々に下方に向かって傾斜した形状をなしている。
【００４４】
ヒール４１Ａの後端面４１Ｂは、上下方向に長い略長方形状をなし、円弧状の下端部を有する。後端面４１Ｂの上下方向の長さは、第１ボディ部２１の前端部２１Ｂの上下方向の長さと略同一となっている。ヒール４１Ａの下端部には、後方側へ突出した凸部４１Ｃを有する。凸部４１Ｃは、前後方向及び左右方向に長い板状をなしている。凸部４１Ｃの製造方法は、例えば、１つの木材を切削加工して凸部４１Ｃを有する第１ネック部４１を一体的に形成してもよい。あるいは、凸部４１Ｃの製造方法は、第１ネック部４１と別体で設けた凸部４１Ｃを、後からヒール４１Ａに設けた穴に嵌めて接着等で固定してもよい。
【００４５】
一方、第１ボディ部２１の前端部２１Ｂには、ヒール４１Ａの凸部４１Ｃの位置及び形状に合わせて後方に向かって凹設された凹部２１Ｃを有する。第１ネック部４１は、凸部４１Ｃを凹部２１Ｃに嵌め込んだ状態で、第１ボディ部２１に対して取り付けられる。また、ヒール４１Ａは、後端面４１Ｂを前端部２１Ｂの端面に当接させた状態で、第１ボディ部２１に対して取り付けられる。なお、第１ネック部４１及び第１ボディ部２１は、凹部２１Ｃに嵌合させた凸部４１Ｃをボルト等の締結部材で固定可能な構成でもよい。
【００４６】
また、第２ネック部４３は、前後方向に延設された形状をなし、半円形状の断面をなしている。第２ネック部４３には、後端面４３Ａから後方に向かって突出した一対の連結棒４３Ｂが設けられている。一対の連結棒４３Ｂの各々は、前後方向と平行に延びる円柱形状をなしている。一対の連結棒４３Ｂは、後述するロッド４５を挿通するための第３筒部材６７を左右方向の間に挟んだ位置に設けられている。連結棒４３Ｂの製造方法は、例えば、１つの木材を切削加工して連結棒４３Ｂを有する第２ネック部４３を一体的に形成してもよい。あるいは、連結棒４３Ｂの製造方法は、第２ネック部４３と別体で設けた連結棒４３Ｂを、後から後端面４３Ａに設けた穴に嵌めて接着等で固定してもよい。
【００４７】
一方、第１ネック部４１には、前端面４１Ｅに開口を有する一対の連結孔４１Ｆが形成されている。連結孔４１Ｆの各々は、第２ネック部４３の連結棒４３Ｂの形状に合わせた円筒形状をなしている。連結孔４１Ｆの各々は、連結棒４３Ｂの位置に合わせて設けられ、ロッド４５を挿通するための第２筒部材６５を左右方向の間に挟んだ位置に形成されている。第２ネック部４３は、一対の連結棒４３Ｂの各々を連結孔４１Ｆに嵌め込んだ状態で、第１ネック部４１に対して取り付けられる。また、第２ネック部４３は、後端面４３Ａを第１ネック部４１の前端面４１Ｅに当接させた状態で、第１ネック部４１に対して取り付けられる。
【００４８】
（ロッド４５の構成）
また、ネック１３には、前後方向に向かってロッド４５が挿通されている。ネック１３や指板５１は、弦１５の張力を長時間付与され続けると、例えば、弦１５に対して弓なりに反り返ってしまう虞がある。これに対し、ロッド４５は、ネック１３の剛性を高め反りの発生を抑制する。ロッド４５の材料としては、例えば、炭素鋼、ステンレス鋼（ＳＵＳ）、ジュラルミン、チタン等の金属材料や、カーボン系の材料などを用いることができる。図５は、ロッド４５の側面図である。図５に示すように、ロッド４５は、前後方向と平行な方向に延設された略円柱形状をなし、第１ロッド部５３と、第２ロッド部５４、第３ロッド部５５の３つのロッドを互いに連結して構成されている。第１〜第３ロッド部５３〜５５は、ネック１３に挿通させた状態では、後方から前方に向かって、第１ロッド部５３、第２ロッド部５４、第３ロッド部５５の順に配設される。
【００４９】
第１ロッド部５３は、第１ボディ部２１の第１筒部材６１及び第１ネック部４１の第２筒部材６５（図４参照）に挿通される部分であり、ロッド円柱部５３Ａと、ロッド平板部５３Ｂとを有する。図４に示すように、第１ボディ部２１には、凹部２１Ｃの上方に第１ロッド部５３を挿通するための第１筒部材６１が埋設されている。第１筒部材６１は、ロッド４５の外径よりも若干大きい円筒形状をなし、所定のクリアランスを確保してロッド４５を挿通可能となっている。第１筒部材６１は、外周面を第１ボディ部２１に接着等により固定されている。
【００５０】
第１ボディ部２１には、第１筒部材６１の後端部にナット６３が埋設されている。ナット６３は、例えば、鬼目ナット（登録商標）等の埋設ナットである。ナット６３は、第１筒部材６１の後端の開口に連通して配置されている。ナット６３は、例えば、外周面に設けられた爪を木製の第１ボディ部２１に係合させ、当該第１ボディ部２１に対して固定されている。
【００５１】
図５に示すように、第１ロッド部５３のロッド円柱部５３Ａは、略円柱形状をなし、その後端にナット６３のピッチに合わせてねじ山を形成した螺合部５３Ｃが形成されている。また、螺合部５３Ｃの先端には、ロッド４５を第１筒部材６１に挿入し易くするために丸く面取りされた面取り部５３Ｄが形成されている。ロッド４５は、第１ロッド部５３を第１筒部材６１に挿通させ、螺合部５３Ｃをナット６３に螺合させることで、第１ボディ部２１に対して固定される。なお、ロッド４５は、螺合にともない回転しながら第１ボディ部２１に対して固定される。このため、図５や後述する図６に示すロッド４５の向きは、一例であり、回転位置に応じて適宜変更される。
【００５２】
また、第２ロッド部５４は、第１ロッド部５３の前方側に並設され、ロッド円柱部５４Ａと、ロッド平板部５４Ｂとを有する。第２ロッド部５４は、第１ネック部４１の第２筒部材６５及び第２ネック部４３の第３筒部材６７に挿通される部分である。図４に示すように、第１ネック部４１には、左右方向において連結孔４１Ｆに挟まれる位置に第１ロッド部５３及び第２ロッド部５４を挿通するための第２筒部材６５が埋設されている。第２筒部材６５は、ロッド４５の外径よりも若干大きい円筒形状をなし、所定のクリアランスを確保してロッド４５を挿通可能となっている。第２筒部材６５の前後方向の長さは、第１ネック部４１の前後方向の長さと同一となっている。第２筒部材６５は、第１ネック部４１に対して接着等により固定されている。
【００５３】
同様に、第２ネック部４３には、左右方向において連結棒４３Ｂに挟まれる位置に第２ロッド部５４及び第３ロッド部５５を挿通するための第３筒部材６７が埋設されている。第３筒部材６７は、ロッド４５の外径よりも若干大きい円筒形状をなし、所定のクリアランスを確保してロッド４５を挿通可能となっている。第３筒部材６７の前後方向の長さは、第２ネック部４３の前後方向の長さと同一となっている。第３筒部材６７は、第２ネック部４３に対して接着等により固定されている。上記した第１〜第３筒部材６１，６５，６７の材料としては、例えば、炭素鋼、ステンレス鋼（ＳＵＳ）、ジュラルミン、チタン等の金属材料や、カーボン系の材料などを用いることができる。
【００５４】
また、図５に示すように、第１ロッド部５３のロッド平板部５３Ｂは、ロッド円柱部５３Ａの前端部に連続して形成され、ロッド円柱部５３Ａの外径よりも短い板厚で形成された板状をなしている。第２ロッド部５４のロッド円柱部５４Ａは、略円柱形状をなし、上下方向の中央部において後端から前方に向かって形成された挿入溝５４Ｃを有する。挿入溝５４Ｃの上下方向の幅は、第１ロッド部５３のロッド平板部５３Ｂの厚さに合わせた大きさとなっている。
【００５５】
図５の拡大図に示すように、ロッド円柱部５４Ａの後端部分には、回転軸５４Ｄが挿通されている。回転軸５４Ｄは、上下方向に向かって挿入溝５４Ｃを貫通し、軸方向の両端部をロッド円柱部５４Ａに固定されている。回転軸５４Ｄの軸方向の両端は、例えば、圧入、溶接等によってロッド円柱部５４Ａに固定されている。そして、第１ロッド部５３のロッド平板部５３Ｂは、第２ロッド部５４の挿入溝５４Ｃ内に後方側から挿入された状態で、回転軸５４Ｄを挿通されている。これにより、第１ロッド部５３は、第２ロッド部５４に対して回転軸５４Ｄを中心に図５の紙面直交方向（図５の状態では左右方向）に向かって回動可能となっている。
【００５６】
同様に、第２ロッド部５４のロッド平板部５４Ｂは、ロッド円柱部５４Ａの前端部に連続して形成され、ロッド円柱部５４Ａの外径よりも短い板厚で形成された板状をなしている。第３ロッド部５５は、第２ロッド部５４の前方側に並設され、略円柱形状をなしている。第３ロッド部５５は、上下方向の中央部において後端から前方に向かって形成された挿入溝５５Ａを有する。挿入溝５５Ａの上下方向の幅は、第２ロッド部５４のロッド平板部５４Ｂの厚さに合わせた大きさとなっている。
【００５７】
第３ロッド部５５の後端部分には、回転軸５５Ｂが挿通されている。回転軸５５Ｂは、上下方向に向かって挿入溝５５Ａを貫通し、軸方向の両端部を第３ロッド部５５に固定されている。回転軸５５Ｂの軸方向の両端は、例えば、圧入、溶接等によって第３ロッド部５５に固定されている。そして、第２ロッド部５４のロッド平板部５４Ｂは、第３ロッド部５５の挿入溝５５Ａ内に後方側から挿入された状態で、回転軸５５Ｂを挿通されている。これにより、第２ロッド部５４は、第３ロッド部５５に対して回転軸５５Ｂを中心に図５の紙面直交方向に向かって回動可能となっている。
【００５８】
（ネック１３の先端部の構成）
次に、ネック１３の前端部の構成について説明する。図１に示すように、第２ネック部４３の前方側端部の上面には、弦１５の第２端部１５Ｂを係止するための弦係止部７１が取り付けられている。弦係止部７１には、弦１５の各々を張設する位置に合わせて６個のコマ７３が設けられている。また、第２指板５１Ｂの前端部の上面には、弦１５の高さを保持するためのナット７５が設けられている。コマ７３の各々には、ナット７５を介して、弦１５の第２端部１５Ｂが挿入されている。コマ７３の各々は、上下方向に向かって挿通される固定ねじ７７（例えば、六角ネジ）を締め付けられることで、弦１５の第２端部１５Ｂを第２ネック部４３の前端部に対して係止する。
【００５９】
また、第２ネック部４３の前端面４３Ｃ（図６参照）には、ネック固定機構４７が取り付けられている。図６は、ギター１０を前方上方から見た斜視図であり、ネック固定機構４７によってネック１３をロックしている状態を示している。なお、図６においては、図面が煩雑となるのを避けるため、弦１５、弦係止部７１や第１ネック部４１等の図示を省略している。
【００６０】
図６に示すように、ネック固定機構４７は、軸部８１と、ハンドル部８３とを有する。なお、後述するように、ネック固定機構４７は、ロッド４５に対して回転する部材である。このため、図６に示すネック固定機構４７の向きは、一例であり、回転位置に応じて適宜変更される。
【００６１】
軸部８１は、左右方向と平行な方向に沿って延設される円柱形状をなし、左右方向の中央部にロッド４５の第３ロッド部５５を挿通するための挿通孔８１Ａが形成されている。挿通孔８１Ａは、前後方向と平行な方向に沿って軸部８１を貫通して形成されている。挿通孔８１Ａ内には、第３ロッド部５５を螺合するための被螺合部（図視略）が形成されている。また、第３ロッド部５５の前端部には、挿通孔８１Ａ内の被螺合部のピッチに合わせてねじ山を形成された螺合部５５Ｃが形成されている。軸部８１は、螺合部５５Ｃに螺合されることで、第３ロッド部５５の中心軸Ｘ１を中心として回転する。また、螺合部５５Ｃの先端には、挿通孔８１Ａ、第３筒部材６７及び第２筒部材６５にロッド４５を挿入し易くするために丸く面取りされた面取り部５５Ｄが形成されている。
【００６２】
また、軸部８１には、軸方向（図６の状態では左右方向）の両端面から外側に向かって、軸方向に沿って突出したハンドル回転軸８１Ｂが設けられている。ハンドル回転軸８１Ｂは、軸部８１の本体部分よりも小径の円柱形状をなしている。ハンドル回転軸８１Ｂの中心軸Ｘ２は、軸部８１の本体部分の中心軸と一致している。
【００６３】
ハンドル部８３は、一対のアーム部８５と、把持部８７とを有する。アーム部８５の各々は、上端部分に設けられた軸受け部８５Ａにハンドル回転軸８１Ｂを挿通させ、中心軸Ｘ２を中心として回動可能となっている。アーム部８５は、左右方向において所定の厚みをもった部材であり、軸受け部８５Ａから下方に向かって延設されて、上方から下方に向かうに従って前後方向の長さが短くなっている。
【００６４】
図６に示す状態において、軸受け部８５Ａにおける中心軸Ｘ２から前方側の端部までの距離Ｌ１は、中心軸Ｘ２から後方側の端部までの距離Ｌ２に比べて長くなっている。換言すれば、軸受け部８５Ａは、中心軸Ｘ２に対して重心が一方（後方側）に偏った形状をなしている。このため、軸受け部８５Ａは、ハンドル部８３の回動にともなって偏心する。図６に示す状態では、軸受け部８５Ａは、後方側に突出した部分の外周面８５Ｃによって、第２ネック部４３の前端面４３Ｃを押圧している。これにより、第２ネック部４３は、ハンドル部８３に押圧されることで、第１ネック部４１及びボディ１１側へロックされた状態となっている。
【００６５】
アーム部８５の前面８５Ｂには、把持部８７が取り付けられている。把持部８７は、前面８５Ｂの平面に沿った板状をなし、前面８５Ｂの上下方向における略中央部から下端部にわたって取り付けられている。これにより、２つのアーム部８５は、把持部８７によって互いに連結され、一体的に回転する。
【００６６】
（分解手順）
次に、上記した構成のギター１０を分解する手順の一例について説明する。（１）まず、図１に示す状態において、弦１５を緩めるために、第２ボディ部２２を第１ボディ部２１に対して回動させる。第２ボディ部２２の回動にともなってブリッジ２３は、第１ボディ部２１に近接する方向へと回動する（図３の矢印２９参照）。弦１５は、ブリッジ２３の回動にともなって緩むこととなる。
【００６７】
（２）次に、ギター１０の前端に設けられたネック固定機構４７のロックを解除する。ユーザは、例えば、把持部８７を手でもって、図６に示す矢印９１の方向へとハンドル部８３を上方に向かって回動させる。軸受け部８５Ａの回動にともなって、中心軸Ｘ２から後方側の端部までの距離Ｌ２は、短くなる。外周面８５Ｃが前端面４３Ｃを押圧する力が減少する。例えば、ハンドル部８３を前後方向に沿った水平位置まで回動させると、ネック固定機構４７のロックが解除される。
【００６８】
（３）次に、ネック固定機構４７を、第３ロッド部５５の螺合部５５Ｃに対して緩める方向へと、ロッド４５の中心軸Ｘ１（図６参照）を中心に回転させる。ネック固定機構４７は、回転しながらロッド４５に対して相対的に前方側へと移動する。
【００６９】
（４）ネック固定機構４７をロッド４５から取り外した後、ロッド４５を、第１ボディ部２１から取り外す。中心軸Ｘ１を中心に第３ロッド部５５を回動させると、第１ロッド部５３の螺合部５３Ｃは、第１ボディ部２１のナット６３から取り外される。なお、ユーザがロッド４５を回転させ易くするために、第３ロッド部５５は、前端部（螺合部５５Ｃなど）に十字の持ち手部分等を備えてもよい。第１ロッド部５３をナット６３から取り外した後、ロッド４５を、第１ボディ部２１及びネック１３から前方へと引き抜く。引き抜いたロッド４５は、回転軸５４Ｄ及び回転軸５５Ｂを中心に回動させることで、三つ折りしてコンパクトにすることが可能となる。
【００７０】
（５）次に、第２ネック部４３の連結棒４３Ｂを、第１ネック部４１の連結孔４１Ｆから引き抜く。これにより、第２ネック部４３は、第１ネック部４１から分離される。次に、第１ネック部４１の凸部４１Ｃを、第１ボディ部２１の凹部２１Ｃから取り外す。これにより、第１ネック部４１は、ボディ１１から分離される。このようにして、ギター１０は、ボディ１１、第１ネック部４１、第２ネック部４３、ロッド４５、ネック固定機構４７の各々に分解される。分解した各部材は、１つにまとめてコンパクトにすることが可能となり、可搬性や収納性を高めることが可能となる。なお、弦１５については、取り付けたままでもよく、収納するスペースの大きさ等に応じて弦係止部７１等から取り外してもよい。
【００７１】
（組み立て手順）
次に、ギター１０の組み立て手順について説明する。組み立て手順は、基本的に分解手順を逆の順番で実施すれば可能であるため、同様の作業については、その説明を適宜省略する。（１）まず、ロッド４５を、第１ボディ部２１のナット６３に螺合させて、ボディ１１に対して取り付ける。（２）第１ネック部４１の第２筒部材６５に、ボディ１１に取り付けたロッド４５を挿入する。凸部４１Ｃを凹部２１Ｃに嵌め込んで、第１ネック部４１を、第１ボディ部２１に対して取り付ける。（３）第２ネック部４３の第３筒部材６７にロッド４５を挿入する。連結棒４３Ｂを連結孔４１Ｆに嵌め込んで、第２ネック部４３を第１ネック部４１に取り付ける。
【００７２】
（４）第２ネック部４３から前方に突出した第３ロッド部５５の螺合部５５Ｃに、ネック固定機構４７を螺合させる。この際、アーム部８５の外周面８５Ｃが第２ネック部４３の前端面４３Ｃに近接する位置、又は前端面４３Ｃに当接する位置まで、ネック固定機構４７を螺合部５５Ｃに螺合させる。（５）ハンドル部８３を、図６に示す矢印９３の方向に向かって回動させ、アーム部８５の軸受け部８５Ａによって、ネック１３をボディ１１側へと押圧し、ネック１３をボディ１１に対して固定する。最後に、第２ボディ部２２を第１ボディ部２１に対して下方に向かって回動させることで、ギター１０は、図１の状態となる。
【００７３】
因みに、ギター１０は、弦楽器の一例である。凹部２１Ｃは、第２凹部の一例である。凸部４１Ｃは、第２突出部の一例である。連結棒４３Ｂは、第１突出部の一例である。連結孔４１Ｆは、第１凹部の一例である。螺合部５３Ｃは、第１螺合部の一例である。螺合部５５Ｃは、第２螺合部の一例である。ナット６３は、第１被螺合部の一例である。第１〜第３筒部材６１，６５，６７は、筒部材の一例である。弦係止部７１は、ネック側係止部の一例である。
【００７４】
以上、上記した実施形態によれば、以下の効果を奏する。
ネック１３は、前後方向（ネック１３の延設方向）において、第１ボディ部２１に取り付けられる第１ネック部４１と、当該第１ネック部４１に取り付けられる第２ネック部４３とに分解可能となっている。また、第１ネック部４１、第２ネック部４３、及び第１ボディ部２１の３つの部材の各々には、ロッド４５を挿通するための第１〜第３筒部材６１，６５，６７が設けられている。これにより、ギター１０は、３つの部材に設けた筒部材（第１筒部材６１等）にロッド４５を挿通することで、３つの部材を互いに連結して組み立てることが可能となっている。また、ギター１０は、組み立てた状態において第１筒部材６１等からロッド４５を引き抜き、第１ネック部４１と第２ネック部４３とを分解することが可能となる。従って、ロッド４５を引き抜き、ネック１３を第１ネック部４１、第２ネック部４３に分解することで、ギター１０全体のコンパクト化を図ることが可能となっている。
【００７５】
また、ロッド４５は、３つの部材（第１ロッド部５３、第２ロッド部５４、第３ロッド部５５）を互いに連結して構成されており、回転軸５４Ｄ，５５Ｂを中心に回動させることで、三つ折りしてコンパクトにすることが可能となっている。
【００７６】
ここで、第１ネック部４１と第２ネック部４３との連結部分は、ネック１３を２つに分割した境界部分となる。このため、連結部分の剛性は、ネック１３の他の部分に比べて低下する虞がある。同様に、第１ロッド部５３と第２ロッド部５４との連結部分の剛性は、回転軸５４Ｄによって回動可能となっているため、ロッド４５の他の部分に比べて低下する虞がある。同様に、第２ロッド部５４と第３ロッド部５５との連結部分の剛性は、ロッド４５の他の部分に比べて低下する虞がある。これに対し、本実施形態のロッド４５及びネック１３は、連結部分の前後方向における位置を互いにずらす構成となっている。詳述すると、例えば、図６に示すように、第３ロッド部５５と第２ロッド部５４とを連結する回転軸５５Ｂは、第３筒部材６７内に配置され、第２ネック部４３と第１ネック部４１との連結部分（後端面４３Ａ）から前方に向かって距離Ｌ３だけずれた位置に配置されている。同様に、第１ロッド部５３と第２ロッド部５４とを連結する回転軸５４Ｄは、例えば、第２筒部材６５内に配置され、ヒール４１Ａの後端面４１Ｂから前方に向かって所定の距離だけずれた位置となっている。これにより、当該ギター１０では、連結部分の位置をずらすことによって、ロッド４５でネック１３の剛性を好適に高めることが可能となっている。
【００７７】
また、金属製のロッド４５を、木製のネック１３に対して抜き差しした場合、ネック１３は、ロッド４５と接触することで損傷等する虞がある。これに対し、本実施形態のギター１０では、ロッド４５を挿通する穴に金属製の第１〜第３筒部材６１，６５，６７を設けることで、ロッド４５との接触からネック１３を保護することが可能となっている。
【００７８】
ネック１３に挿通したロッド４５の螺合部５５Ｃは、ネック固定機構４７の軸部８１の挿通孔８１Ａに螺合される。ネック固定機構４７のハンドル部８３と、第２ネック部４３の前端面４３Ｃとの前後方向における距離は、螺合する位置に応じて変更される。そして、ハンドル部８３を、第２ネック部４３に近接させ、図６に示す矢印９３の方向に向かって回動させる。アーム部８５の軸受け部８５Ａは、ネック１３をボディ１１側へと押圧し、ネック１３をボディ１１に対して固定する。このような構成では、ユーザは、ハンドル部８３を回動させることで、ロッド４５、ネック１３、及びボディ１１の相対的な位置ずれを抑制することが可能となる。
【００７９】
また、ボディ１１は、第１ボディ部２１と第２ボディ部２２とに分割され、回動部材２７によって互いに連結されている。第２ボディ部２２は、回動部材２７の回動にともなって、第１ボディ部２１に対して図３の矢印２９の方向へと回動する。これにより、ユーザは、第２ボディ部２２を回動させることで弦１５を緩めることができ、ネック１３の分解を容易に実施することが可能となる。
【００８０】
また、本実施形態のギター１０は、第２ネック部４３の先端に糸巻き等を有するヘッドを備えておらず、ボディ１１に設けられたブリッジ２３によって弦１５の張力を調整可能となっている。このような構成では、ネック１３を分解した後の体積をより小さくし、さらなるコンパクト化を図ることが可能となる。
【００８１】
また、軸受け部８５Ａが第２ネック部４３に付与する押圧力は、ネック固定機構４７の軸部８１を螺合部５５Ｃに対して螺合する位置に応じて変更される。例えば、第２ネック部４３の前端面４３Ｃからより前方側に離間した位置でハンドル部８３を回転させた場合、押圧力はより小さくなる。一方で、軸受け部８５Ａの外周面８５Ｃを前端面４３Ｃに当接させた状態でハンドル部８３を回動させた場合、押圧力はより大きくなる。これにより、弦１５の張力によってネック１３に反りが発生した場合に、ネック固定機構４７の位置等を変更することで、ネック１３の反りを矯正することが可能となる。
【００８２】
また、金属製のロッド４５や第１〜第３筒部材６１，６５，６７は、木製のネック１３に比べて比重が大きく、ギター１０の音質により大きい影響を与える。そこで、本実施形態のギター１０では、ロッド４５を、材質、形状、大きさ、数量等の異なるものに入れ替えることで、ギター１０の音響特性を変更することが可能となる。例えば、より重い金属材料のロッド４５を使用することで、高次の倍音を放音し易くすることが可能となる。逆に、より軽い金属材料のロッド４５を使用することで、高次の倍音の放音を抑制し易くすることが可能となる。
【００８３】
また、ボディ１１の総重量を、ロッド４５や第１〜第３筒部材６１，６５，６７に比べて重くすることで、ロッド４５等の質量を変化させたことに起因したギター１０の重心位置のずれを小さくすることが可能となる。これにより、ロッド４５等の材質等を変更し質量を変更したとしても、重心位置のずれによる演奏性の低下を抑制することが可能となる。
【００８４】
また、本実施形態のギター１０では、専用の工具等を使用することなく、ユーザが容易に分解可能な構成となっている。
また、本実施形態のギター１０では、着脱可能な第１ネック部４１及び第２ネック部４３の大きさや数を変更することで、ネック１３の全長を変更することが可能となる。これにより、本実施形態のギター１０によって、弦長の長いギターや弦長の短いギターを実現することが可能となる。
同様に、着脱可能なボディ１１を、他の弦楽器のボディ（アコースティックギター、バイオリン、ウクレレ等）に変更することで、多様な弦楽器を楽しむことが可能となる。この場合、一般的には、バイオリンやウクレレは、ネック１３内にロッド４５を備えていないため、バイオリン等のボディ１１に変更した場合に、ロッド４５を有しないネック１３を装着してもよい。
【００８５】
尚、本発明は上記実施形態に限定されるものではなく、本発明の趣旨を逸脱しない範囲内での種々の改良、変更が可能であることは言うまでもない。
例えば、上記実施形態では特に言及していないが、図２及び図３に示すように、ボディ１１は、第１ボディ部２１に対する第２ボディ部２２の回動を規制するための規制部材２８を備えてもよい。より具体的には、図２に示す状態において、規制部材２８は、前後方向にスライド可能に第２ボディ部２２の下端に取り付けられている。規制部材２８は、第１ボディ部２１の規制孔２８Ａに挿通されるロック位置と、ロック位置から後方へスライドして規制孔２８Ａから引き抜かれるロック解除位置とで位置を変更可能となっている。ユーザは、例えば、ボディ１１を折り曲げたい場合、規制部材２８に設けられた摘まみ２８Ｂを操作して規制部材２８を後方へスライドさせ、規制部材２８を規制孔２８Ａから引き抜いてロックを解除する。第２ボディ部２２は、規制部材２８による規制を解除され、第１ボディ部２１に対して回動可能となる。このような構成では、第１ボディ部２１に対する第２ボディ部２２の回動を、より確実に規制し、演奏中にギター１０が折れ曲がるなどの不具合を防止することが可能となる。
【００８６】
また、上記実施形態において、ネック１３は、３つ以上のネック部に分解可能な構成でもよい。
また、上記実施形態において、ボディ１１を、第１ボディ部２１と、第２ボディ部２２とに分割可能に構成したが、これに限らない。例えば、ボディ１１は、１つの部材で構成され、回動しない構成でもよい。この場合、回動部材２７は、不要となる。
また、上記実施形態では、第１ネック部４１に設けた凸部４１Ｃを、第１ボディ部２１に設けた凹部２１Ｃに嵌め込む構成としたが、これとは逆に、凹部２１Ｃを第１ネック部４１に設け、凸部４１Ｃを第１ボディ部２１に設けてもよい。
また、上記実施形態では、第２ネック部４３に設けた連結棒４３Ｂを、第１ネック部４１の連結孔４１Ｆに嵌め込む構成としたが、これとは逆に、連結棒４３Ｂを第１ネック部４１に設け、連結孔４１Ｆを第２ネック部４３に設けてもよい。
また、第１ネック部４１と第１ボディ部２１との連結構造として、連結棒４３Ｂ及び連結孔４１Ｆを用いてもよい。同様に、第１ネック部４１と第２ネック部４３との連結構造として、凸部４１Ｃ及び凹部２１Ｃを用いてもよい。また、１つの連結部分、例えば、第１ネック部４１と第１ボディ部２１との連結部分に、凸部４１Ｃ及び凹部２１Ｃと、連結棒４３Ｂ及び連結孔４１Ｆとを組み合わせて用いてもよい。また、１つの連結部分に、１又は２以上の連結棒４３Ｂや、２以上の凸部４１Ｃを用いてもよい。また、連結構造は、他の構造でもよい。例えば、凹部としてアリ溝形状を採用し、アリ溝形状に嵌合するアリ型形状を凸部として採用してもよい。
【００８７】
また、上記実施形態では、弦楽器として、ネック１３内にロッド４５を備えるギター１０を例に説明としたが、これに限らない。本願における弦楽器は、ネック１３にロッド４５を備えない弦楽器（例えば、バイオリン）を採用することができる。
また、上記実施形態において、ロッド４５を、３つに折れ曲がる構造としたが、２つに折れ曲がる構造や、４つ以上に折れ曲がる構造としてもよい。また、ロッド４５は、折れ曲がらない１本の棒でもよい。
また、上記実施形態において、ロッド４５を略円柱の棒状の部材で構成したが、これに限らない。例えば、ロッド４５は、板状の部材でもよい。
また、上記実施形態において、ロッド４５の連結部分と、ネック１３の連結部分との位置をずらしたが、一致させてもよい。
【００８８】
また、上記実施形態において、ロッド４５をボディ１１のナット６３に螺合して固定したが、ロッド４５をボディ１１に固定する方法は、これに限らない。例えば、ロッド４５のボディ１１側の端部に、ボディ１１の下面から螺合したボルトを挿通する穴を設けてもよい。これにより、ボディ１１の下面からボルトを螺合することで、ロッド４５をボディ１１に固定することが可能となる。
また、上記実施形態において、ロッド４５をボディ１１に対して前方から挿入したが、これに限らない。例えば、ロッド４５を、第１ボディ部２１の後方側（後端面部２１Ａなど）から挿入し、第１ボディ部２１に対して固定する構成でもよい。
また、上記実施形態において、第１ネック部４１、第２ネック部４３、及び第１ボディ部２１は、ロッド４５を挿通する挿通孔に、金属製の第１〜第３筒部材６１，６５，６７を設けない構成でもよい。また、第１ネック部４１、第２ネック部４３、及び第１ボディ部２１の少なくとも１つが、金属製の筒部材を備えてもよい。
【００８９】
また、上記実施形態において、ロッド４５とネック１３とを固定するネック固定機構４７の構成は、一例である。例えば、ネック固定機構は、ロッド４５の螺合部５５Ｃに螺合する有底円筒形をなすキャップ状の部材でもよい。ユーザは、例えば、このキャップを螺合部５５Ｃの先端に締め付けることで、キャップによって前端面４３Ｃを押圧することが可能となる。また、ネック固定機構４７を、ロッド４５に対して固定してもよい。例えば、第３ロッド部５５を、軸部８１の挿通孔８１Ａ内に固定してもよい。このような構成では、例えば、ユーザは、ハンドル部８３を持って中心軸Ｘ１を中心としてロッド４５を回転させることで、ロッド４５を回転させボディ１１のナット６３から取り外すことができる。また、ユーザは、ハンドル部８３を持って前方側へと引っ張ることで、ロッド４５を第１〜第３筒部材６１，６５，６７から引き抜くことができる。これにより、ユーザは、ロッド４５の取り外し作業を容易に行うことが可能となる。
また、上記実施形態において、ギター１０は、弦１５を巻き付ける糸巻きを有するヘッドを、第２ネック部４３に備えてもよい。この場合、ヘッドの糸巻きによって調律可能であるため、ボディ１１のブリッジ２３は、弦１５の張力を調整する機構を備えずに、単純に第１端部１５Ａを係止する構造でもよい。
【符号の説明】
【００９０】
１０  ギター（弦楽器）、１１  ボディ、１３  ネック、２１  第１ボディ部、２１Ｃ  凹部、２２  第２ボディ部、２３  ブリッジ、２７  回動部材、３３  張力調整ネジ、４１  第１ネック部、４１Ｃ  凸部、４１Ｆ  連結孔、４３  第２ネック部、４３Ｂ  連結棒、４５  ロッド、４７  ネック固定機構、５３  第１ロッド部、５３Ｃ  螺合部（第１螺合部）、５４  第２ロッド部、５５  第３ロッド部、５５Ｃ  螺合部（第２螺合部）、５４Ｄ，５５Ｂ  回転軸、６１，６５，６７  第１〜第３筒部材（筒部材）、６３  ナット（第１被螺合部）、７１  弦係止部（ネック側係止部）、８１  軸部、８１Ｂ  ハンドル回転軸、８３  ハンドル部。
【図１】
2017072652.tif 000003
【図２】
2017072652.tif 000004
【図３】
2017072652.tif 000005
【図４】
2017072652.tif 000006
【図５】
2017072652.tif 000007
【図６】
2017072652.tif 000008